(57)【要約】      （修正有）【課題】洗浄水供給装置において、ポンプによる吐水の実行を停止してから実際にポンプからの洗浄水の吐水が止まるまでに惰性で吐水される洗浄水を少なくすることで、洗浄性能に寄与しない洗浄水の量を少なくし、節水することができる洗浄水供給装置及び水洗大便器を提供する。【解決手段】便器洗浄に用いる洗浄水を便器に供給する洗浄水供給装置Ｓであって、洗浄水を貯めるタンク３と、タンク３から便器に洗浄水を供給するポンプ４と、ポンプ４を駆動するモータ８と、モータ８を回転させる駆動手段と、モータ８にブレーキを掛けるブレーキ手段と、駆動手段の実行後にブレーキ手段を実行する制御手段と、を備えるようにした。【選択図】図１
2016183455.tif 000002
【特許請求の範囲】
【請求項１】
便器洗浄に用いる洗浄水を便器に供給する洗浄水供給装置であって、
前記洗浄水を貯めるタンクと、
前記タンクから前記便器に前記洗浄水を供給するポンプと、
前記ポンプを駆動するモータと、
前記モータを回転させる駆動手段と、
前記モータにブレーキを掛けるブレーキ手段と、
前記駆動手段の実行後に前記ブレーキ手段を実行する制御手段と、
を備えたことを特徴とする洗浄水供給装置。
【請求項２】
前記ブレーキ手段は、前記制御手段が前記ブレーキ手段を実行することで形成される、前記モータのコイルの両端を短絡する短絡経路であることを特徴とする請求項１に記載の洗浄水供給装置。
【請求項３】
前記ブレーキ手段は、前記短絡経路を形成したときに前記モータから生じる電力を蓄える蓄電手段をさらに備えたことを特徴とする請求項２に記載の洗浄水供給装置。
【請求項４】
前記ブレーキ手段は、前記短絡経路に設けられ、動作に電源を必要とするスイッチング素子をさらに備え、
前記制御部は、前記短絡経路を形成するときに前記蓄電手段に蓄えられた前記電力を前記スイッチング素子の電源として供給することを特徴とする請求項３に記載の洗浄水供給装置。
【請求項５】
ジェット吐水口が形成されたボウル部を備えた水洗大便器本体と、
前記ジェット吐水口に洗浄水を供給する請求項１乃至請求項４のいずれか１項に記載の洗浄水供給装置と、
を備えたことを特徴とする水洗大便器。
【発明の詳細な説明】
【技術分野】
【０００１】
本発明は、便器洗浄に用いる洗浄水を便器に供給する洗浄水供給装置、及び、水洗大便器に関する。
【背景技術】
【０００２】
従来から、加圧した洗浄水により洗浄を行う水洗大便器が知られている（例えば、特許文献１参照。）。特許文献１に記載されている水洗大便器は、リム吐水口及びジェット吐水口が形成されたボウル部、及び排水トラップ管路を備えた水洗大便器本体と、ジェット吐水口から吐水させる洗浄水をモータにより加圧する加圧ポンプと、この加圧ポンプによって加圧すべき洗浄水を貯水する貯水タンクと、モータを回転させて貯水タンク内の洗浄水を加圧ポンプによりジェット吐水口から吐水させるジェット洗浄を実行することによりボウル部を洗浄する洗浄制御手段を備えている。
【先行技術文献】
【特許文献】
【０００３】
【特許文献１】特開２００９−５２２２８号公報
【発明の概要】
【発明が解決しようとする課題】
【０００４】
しかしながら、特許文献１に記載されているような従来の水洗大便器では、洗浄制御手段がポンプによる吐水の実行を停止してから、実際にポンプからの洗浄水の吐水が止まるまでの間、惰性で洗浄水が吐水されている場合がある。この惰性によって吐水される洗浄水は水の勢いが弱いので、便器の洗浄性能に寄与しない。つまり、ポンプを停止してから洗浄水の吐水が止まるまでに惰性で吐水させる洗浄水が無駄となっている場合があった。
【０００５】
本発明はこのような課題に対してなされたものであり、ポンプによる吐水の実行を停止してから実際にポンプからの洗浄水の吐水が止まるまでに惰性で吐水される洗浄水を少なくすることで、洗浄性能に寄与しない洗浄水の量を少なくし、節水することのできる洗浄水供給装置を提供することを目的とする。
【課題を解決するための手段】
【０００６】
上記課題を解決するために、第１の態様は、便器洗浄に用いる洗浄水を便器に供給する洗浄水供給装置であって、前記洗浄水を貯めるタンクと、前記タンクから前記便器に前記洗浄水を供給するポンプと、前記ポンプを駆動するモータと、前記モータを回転させる駆動手段と、前記モータにブレーキを掛けるブレーキ手段と、前記駆動手段の実行後に前記ブレーキ手段を実行する制御手段と、を備えたことを特徴とする洗浄水供給装置である。
【０００７】
このような構成によれば、制御手段は駆動手段の実行を終えた後、ブレーキ手段を実行する。ブレーキ手段を実行することでモータにブレーキが掛かるため、ポンプを駆動するモータが慣性動作するのを抑制することができる。そのため、ポンプによる吐水の実行を停止してから実際にポンプからの洗浄水の吐水が止まるまでに惰性で吐水されていた洗浄水の量を少なくすることができる。そのため、洗浄性能に寄与しない洗浄水の量を少なくすることができるため、節水することができる。
【０００８】
また、第２の態様は、第１の態様において、前記ブレーキ手段は、前記制御手段が前記ブレーキ手段を実行することで形成される、前記モータのコイルの両端を短絡する短絡経路であることを特徴とする洗浄水供給装置である。
【０００９】
このような構成によれば、制御部がブレーキ手段を実行すると、モータのコイルの両端を短絡する経路が形成されるため、モータにブレーキを掛けることができる。
【００１０】
また、第３の態様は、第２の態様において、前記ブレーキ手段は、前記短絡経路を形成したときに前記モータから生じる電力を蓄える蓄電手段をさらに備えたことを特徴とする洗浄水供給装置である。
【００１１】
このような構成によれば、制御手段がブレーキ手段を実行して短絡経路を形成したときに、モータから生じる電力を熱として消費するのではなく、蓄電手段に電気のまま蓄えることができる。
【００１２】
また、第４の態様は、第３の態様において、前記ブレーキ手段は、前記短絡経路に設けられ、動作に電源を必要とするスイッチング素子をさらに備え、前記制御部は、前記短絡経路を形成するときに前記蓄電手段に蓄えられた前記電力を前記スイッチング素子の電源として供給することを特徴とする洗浄水供給装置である。
【００１３】
モータにブレーキを掛けるときには、モータから発生する電力によって電源回路が破損しないよう、モータと電源回路との電気的接続を遮断することが好ましい。
しかしながら、短絡経路を形成するときに使用するスイッチング素子もモータと同じ電源回路から供給される電力によって動作している場合には、電源回路との電気的接続が遮断されると、短絡経路が形成されなくなる場合がある。そのため、このような構成によれば、制御部は、ブレーキ手段を実行して短絡経路を形成するときに蓄電手段に蓄えられた電力をスイッチング素子に供給するので、電源回路から電力が供給されなくてもブレーキ手段を作動させることができる。
【００１４】
また、第５の態様は、ジェット吐水口が形成されたボウル部を備えた水洗大便器本体と、前記ジェット吐水口に洗浄水を供給する第１の態様乃至第４の態様のいずれか１つに記載の洗浄水供給装置と、を備えたことを特徴とする水洗大便器。
【００１５】
ジェット吐水口からはポンプによって洗浄水を加圧してボウル部に勢い良く吐水するため、ポンプによる吐水の実行を停止した後にポンプが慣性動作する時間も長くなる。そのため、ポンプの慣性動作によって吐水される洗浄水の量も多くなっていた。
しかしながら、このような水洗大便器によれば、ブレーキ手段がポンプの止水時にポンプを駆動するモータにブレーキを掛けるため、ポンプが慣性動作する時間を短くすることができ、洗浄性能に寄与しない洗浄水の量を少なくすることができる。
【発明の効果】
【００１６】
本発明によれば、ポンプによる吐水の実行を停止してから実際にポンプからの洗浄水の吐水が止まるまでに惰性で吐水される洗浄水を少なくすることで、洗浄性能に寄与しない洗浄水の量を少なくし、節水することのできる洗浄水供給装置を提供することができる。
【図面の簡単な説明】
【００１７】
【図１】洗浄水供給装置の全体構成を示す図である。
【図２】モータ駆動部９の回路構成及びモータ駆動部９と制御部１０との接続構成を示す回路図である。
【図３】待機時におけるモータ駆動部を示した回路図である。
【図４】モータを回転させている便器洗浄時におけるモータ駆動部を示した回路図である。
【図５】モータにブレーキを掛けているブレーキ時におけるモータ駆動部を示した回路図である。
【図６】洗浄水供給装置の動作を示すタイムチャートである。
【発明を実施するための形態】
【００１８】
以下、添付図面を参照しながら本発明の実施の形態について説明する。説明の理解を容易にするため、各図面において同一の構成要素に対しては可能な限り同一の符号を付して、重複する説明は省略する。
【００１９】
＜全体構成＞
まず、本発明の本実施形態に係る洗浄水供給装置Ｓについて、図１を用いて説明する。図１は本実施形態における洗浄水供給装置Ｓの全体構成を示す図である。
【００２０】
この図において、Ｌは水道配管に接続された給水路であり、１は該給水路Ｌ上に設けられた給水電磁弁である。給水電磁弁１は、水道配管からの水を流路切換電磁弁（以下、単に流路切換弁という）２に供給する開位置と、該供給を遮断する閉位置とに切り換えられる。
【００２１】
流路切換弁２は、給水電磁弁１から供給された水を第１の導水路Ｌ１に流す状態（以下、リム側位置という）と、第２の導水路Ｌ２に流す状態（以下、タンク側位置という）とに切り換えられる。
【００２２】
なお、流路切換弁２と第１の導水路Ｌ１により便器給水系が構成され、該流路切換弁２と第２の導水路Ｌ２によりタンク給水系が構成される。
【００２３】
第１の導水路Ｌ１は、水洗大便器５のリム部５ａに水を供給するための管路である。リム部５ａは、水洗大便器５の上部開口の周縁部であり、該リム部５ａに沿って水を流すことで、ボウル部５ｂの上方から渦巻き状の水流を生じさせることができる。第２の導水路Ｌ２は、タンク３に水を供給するための管路である。
【００２４】
タンク３には、該タンク３の上部に設けられた給水口３ａを通じて第２の導水路Ｌ２から水が供給される。これにより、タンク３内に水が貯まる。タンク３内に貯まった水を、以下の説明ではタンク水Ｗという。
【００２５】
タンク３の下部には、ポンプ４の吸込みポート４ａが接続されている。ポンプ４としては、渦巻きポンプ、ディフューザポンプ、カスケードポンプ等、様々な種類のポンプを使用することができる。８はポンプ４を駆動するモータである。
【００２６】
ポンプ４の吐出ポート４ｂから吐出された水は、水洗大便器５のボウル部５ｂの前側下部に形成されたジェット吐水口５ｃに供給される。ジェット吐水口５ｃからは、ボウル部５ｂの後側につながったトラップ排水部５ｄに向けて水が噴出する。
【００２７】
なお、実際には、上記給水路Ｌ及び導水路１１ａ，１１ｂには、定流量弁、逆流防止弁、フラッパ弁、絞り、エア逃がし弁、水抜き弁等の部品が設けられているが、図１ではこれらを省略して示している。
【００２８】
６はタンク３内の上部に設けられたフロートスイッチであり、タンク水Ｗが、満水水位に相当する水量まで貯まったことを検出する満水水位検出器である。満水水位は、タンク３内に貯留可能な（タンク３から溢れ出ない）上限水量に基づいて、つまりは該上限水量に対して若干の余裕を見込んだ低めの水位に設定される。
【００２９】
７はタンク３内の下部に設けられたフロートスイッチであり、タンク水Ｗが下限水位に相当する水量まで減少したことを検出する下限水位検出器である。下限水位は、ポンプ４が空転せずに正常に動作可能な（ポンプ４の駆動が許容される）下限水量に基づいて、つまりは該下限水量に対して若干の余裕を見込んだ高めの水位に設定される。
【００３０】
１０はマイクロコンピュータ（ＣＰＵ）により構成される制御部であり、メモリ内に格納されたコンピュータプログラムに従って給水電磁弁１や流路切換弁２やモータ４ｍの駆動を制御する。
【００３１】
９は制御部１０からの出力指令信号に応じてポンプ４のモータ８を駆動するモータ駆動部である。つまり、制御部１０とモータ８は、モータ駆動部９を介して接続されている。制御部１０はモータ駆動部９と信号線１１によって接続されており、制御部１０はこの信号線１１を通してモータ駆動部９に制御信号を送信する。
【００３２】
１５は操作パネルであり、便器洗浄を開始させる洗浄スイッチや、不図示の洗浄便座部を動作させるためのスイッチが設けられている。洗浄スイッチが操作されると、操作パネル１５から制御部１０に対して洗浄指令信号が出力される。なお、操作パネル１５は、電気配線により制御部１０に接続されていてもよいし、制御部１０に設けられた不図示の受信部に対してリモートコントロール信号としての洗浄指令信号を送信するリモコン操作パネルであってもよい。
【００３３】
続いて、本実施形態におけるモータ駆動部９の詳細構成について、図２を用いて説明する。図２はモータ駆動部９の回路構成及びモータ駆動部９と制御部１０との接続構成を示す回路図である。
【００３４】
図２において、Ｖ１はコンセントから供給される商用の交流電源を表している。本実施形態のモータ駆動部９では、この交流電源Ｖ１を直流電圧に整流し、モータ８に供給するようにしている。交流電源Ｖ１はブリッジダイオードＤ１で全波整流され、その後の平滑用コンデンサＣ１で直流電圧に整流される。そのため、ポイントＰ１側がプラスの電圧、ポイントＰ２側が０Ｖ、つまりグランド側となる。また、ポイントＰ２側がグランド側であることを示す記号であるグランドＧ１が付与されている。
【００３５】
コンデンサＣ１のポイントＰ２側にはスイッチＳ１が接続されている。スイッチＳ１の開閉は、制御部１０信号線１１ａを通して送信する信号により制御される。スイッチＳ１は制御部１０による制御で接続を切り替えるスイッチング素子を模式的に表したもので、実際にはＦＥＴやトランジスタ等のスイッチング素子を用いることができる。なお、以降の説明においても、スイッチはこのようなスイッチング素子を模式的に表したものとする。
【００３６】
スイッチＳ１の後であって、図２のポイントＰ３及びポイントＰ４の間には、モータ８を構成するコイル８ａが接続されている。また、コイル８ａは、ポイントＰ３及びポイントＰ４の間において、コイル８ａへの通電を制御するスイッチＳ６と直列に接続されている。スイッチＳ６はモータ８への通電を制御するモータドライバＩＣ２に内蔵されているスイッチング素子であり、図２に示すように、スイッチＳ６の開閉はモータドライバＩＣ２の制御部ＩＣ２ａによって制御されている。
【００３７】
モータドライバＩＣ２の制御部ＩＣ２ａは信号線１１ｆを通して、制御部１０と接続されており、制御部１０から送られてくる信号に基づいて、スイッチＳ６の開閉を制御する。なお、モータドライバＩＣ２はモータ８の種類（例えば、ブラシモータ、ブラシレスモータ等。）に応じて使用する素子の種類も変えることができる。
【００３８】
ポイントＰ３には、さらにスイッチＳ２およびスイッチＳ３が接続されている。スイッチＳ２は、モータ８にブレーキを掛けたときに、コイル８ａから生じる逆起電力を充電するためのコンデンサＣ２と接続されている。また、スイッチＳ３は、モータ８にブレーキを掛けたときに、モータドライバ用電源回路ＩＣ１に供給する電力を一時的にまかなう電力を貯めておくためのコンデンサＣ３と接続されている。スイッチＳ２及びスイッチＳ３は、それぞれ信号線１１ｂ及び信号線１１ｃを通して制御部１０と接続されている。
【００３９】
なお、図２においては、コンデンサＣ１乃至Ｃ３が充電された場合の電圧の極性を＋記号で表している。そのため、コンデンサＣ１及びコンデンサＣ３は図中上側に＋記号が付与されており、コイル８ａの逆起電力を充電するコンデンサＣ２には図中下側に＋記号が付与されている。
【００４０】
また、コンデンサＣ２とコンデンサＣ３は、ポイントＰ５とポイントＰ８を結ぶ回路、及び、ポイントＰ６とポイントＰ７を結ぶ回路によって並列接続となるように接続されている。また、このポイントＰ６とポイントＰ７の間には、コンデンサＣ２とコンデンサＣ３を並列接続とするかどうかを切り替えるためのスイッチＳ５が設けられている。
【００４１】
また、コンデンサＣ３をグランドＧ１側に接続するために、ポイントＰ６及びポイントＰ８の間にも回路が形成されている。なお、ポイントＰ６とポイントＰ７との間には、ポイントＰ６及びポイントＰ８の接続を切り替えるためのスイッチＳ４が設けられている。
【００４２】
コンデンサＣ３の両端、つまり、ポイントＰ７及びポイントＰ８は、モータドライバ用電源回路ＩＣ１に接続されている。モータドライバ用電源回路ＩＣ１はスイッチングダイオードＤ１及びコンデンサＣ１によって整流された直流電圧を変換し、モータドライバＩＣ２を作動させるための電源を生成する。なお、図２に示す回路においては、ポイントＰ７の電圧は１４０Ｖ程度であり、この電圧をモータドライバ用電源回路ＩＣ１で１５Ｖ程度の電圧に降圧している。
【００４３】
モータドライバＩＣ２は、モータドライバ用電源回路ＩＣ１で変換された電圧が電源として接続されている。また、上述したように、モータドライバＩＣ２の制御部ＩＣ２ａは、制御部１０と信号線１１ｆを通して接続されており、制御部１０から送られてくる信号に基づいて、スイッチＳ６の開閉を制御する。
【００４４】
また、スイッチＳ６はモータドライバＩＣ２に内蔵されているスイッチング素子であるため、スイッチＳ６を動作させるためにはモータドライバＩＣ２にモータドライバ用電源回路ＩＣ１から電源が供給されている必要がある。つまり、スイッチＳ６は動作に電源を必要とするスイッチング素子となっている。
【００４５】
なお、図２において、スイッチＳ１乃至スイッチＳ６は全て開となっているが、これは本実施形態のモータ駆動部９における特定の状態を示すものではない。
【００４６】
＜作用の説明＞
続いて、図３乃至図６を用いて、本実施形態の洗浄水供給装置Ｓの作用について説明する。図３は待機時におけるモータ駆動部９を示した回路図である。図４はモータ８を回転させている便器洗浄時におけるモータ駆動部９を示した回路図である。図５はモータ８にブレーキを掛けているブレーキ時におけるモータ駆動部９を示した回路図である。図６は本実施形態における洗浄水供給装置Ｓの動作を示すタイムチャートである。なお、図３乃至図５に示す回路図おいては、電流が流れる線路を太くして表示している。
【００４７】
まず、図３を用いて、待機時におけるモータ駆動部９について説明する。制御部１０は、待機時においてモータ８が回転しないように信号線１１ａ乃至１１ｆを通して信号を送り、スイッチＳ１乃至スイッチＳ６を制御する。
【００４８】
そのため、制御部１０は待機時において、信号線１１ａ、１１ｃ、及び、１１ｄを通して信号を送り、スイッチＳ１、Ｓ３、及び、Ｓ４が閉となるようにする。また、信号線１１ｂ、１１ｅ、及び、１１ｆを通して信号を送り、スイッチＳ２、Ｓ５、及び、Ｓ６が開となるようにする。
【００４９】
スイッチＳ６を開とすることで、モータ８のコイル８ａには電流が流れないので、モータ８が回転しないようにすることができる。また、スイッチＳ１、Ｓ３、Ｓ４を閉とすることで、モータドライバＩＣ２を動作させ、なおかつ、コンデンサＣ３を充電するようにしている。
【００５０】
コンデンサＣ３は、モータ８にブレーキを掛けたときに、モータドライバ用電源回路ＩＣ１に供給する電力を一時的にまかなう電力を貯めておくためのコンデンサであるため、このように、待機時には充電された状態となるようにスイッチＳ１乃至スイッチＳ５の接続が制御される。
【００５１】
続いて、図４を用いて、モータ８を回転させている便器洗浄時におけるモータ駆動部９について説明する。制御部１０は、モータ８を回転させて便器洗浄を行う際には、図３に示した待機時の状態から、信号線１１ｆの状態のみを変更し、スイッチＳ６が閉となるようにする。そのため、図４に示す回路図では、図３において開となっていたスイッチＳ６が閉となっている。
【００５２】
モータドライバＩＣ２のスイッチＳ６が閉となることで、モータ８のコイル８ａにポイントＰ１からポイントＰ２に向けて電流が流れるため、モータ８を回転させることができる。そのため、図４中に一点鎖線で示す、スイッチＳ１、及び、モータドライバＩＣ２のスイッチＳ６を含み、ポイントＰ１、Ｐ３、Ｐ４、Ｐ２を接続する回路、並びに、ポイントＰ１、Ｐ２に電源を供給する回路がモータ８を回転させる駆動手段１３となっている。
【００５３】
なお、便器洗浄時において、スイッチＳ６は常に閉となっていなくても構わない。例えば、モータ８の回転数制御やモータ８の図示しないロータの回転制御等のために適宜、開と閉の状態を切り替えても良い。
【００５４】
図４に示す状態においても、モータドライバＩＣ２を動作させ、なおかつ、コンデンサＣ３の充電状態を維持するためにスイッチＳ１、Ｓ３、及び、Ｓ４は閉となっている。つまり、待機時および便器洗浄時においては、モータドライバＩＣ２は交流電源Ｖ１を整流した電源によって動作している。
【００５５】
続いて、図５を用いて、モータ８にブレーキを掛けているブレーキ時におけるモータ駆動部９について説明する。
【００５６】
ブレーキ時において、制御部１０は、信号線１１ａを通して、スイッチＳ１を開とする。このようにすることで、モータ８のコイル８ａに電力が供給されないようにするとともに、モータ８から発生する逆起電力によって電源回路であるブリッジダイオードＤ１又はコンデンサＣ１が破損しないようにしている。
【００５７】
スイッチＳ１、スイッチＳ３、及び、スイッチＳ４を開とすることで、交流電源Ｖ１を整流した電源がモータドライバ用ＩＣ１に供給されなくなるが、その代わりに、待機時及び便器洗浄時において充電されていたコンデンサＣ３から電力が供給される。そのため、スイッチＳ１、Ｓ３、及び、Ｓ４を開としても、モータドライバＩＣ２に電源を供給することができ、モータドライバＩＣ２を動作させることができる。
【００５８】
また、制御部１０は、惰性で回転しているモータ８にブレーキを掛けるため、スイッチＳ２及びスイッチＳ６を閉とする。スイッチＳ２及びスイッチＳ６を閉とすることで、コイル８ａにおいて生じる電流がポイントＰ４、Ｐ６、Ｐ５、及び、Ｐ３を通って再びコイル８ａに戻るように流すことができる。つまり、スイッチＳ２及びスイッチＳ６を閉とすることで、コイル８ａの両端を短絡する短絡経路が形成される。
【００５９】
このように、制御部１０が短絡経路を形成することで、モータの図示しないロータが惰性で回転しているときにコイル８ａによって生じる電力によって、ロータを逆方向に回転させる力が発生するため、モータ８にブレーキを掛けることができる。従って、図５中に一点鎖線で示すスイッチＳ２、モータドライバＩＣ２のスイッチＳ６、及び、コンデンサＣ２を含み、ポイントＰ４、Ｐ６、Ｐ５、Ｐ３を接続する回路がモータ８にブレーキを掛けるブレーキ手段１４となっている。
【００６０】
また、ポイントＰ５及びポイントＰ６の間には、コンデンサＣ２が設けられている。そのため、モータ８にブレーキを掛けたときにコイル８ａにおいて生じる電流によってコンデンサＣ２は充電される。従って、コンデンサＣ２は、ブレーキ手段１４を実行したときにモータ８から生じる電力を蓄える蓄電手段となっている。
【００６１】
なお、本実施形態の制御部１０は、ブレーキ時においてスイッチＳ５を閉とするため、コンデンサＣ２からモータドライバ用電源回路ＩＣ１に、ポイントＰ６、Ｐ７、Ｐ９、Ｐ８、及び、Ｐ５を通して電流が流れる。つまり、コンデンサＣ２は、コイル８ａから生じる電流によって充電されると共に、モータドライバＩＣ１に電力を供給している。従って、制御部１０は、ブレーキ手段１４を実行して短絡経路を形成するときに、スイッチＳ５を閉とすることで、コンデンサＣ２に蓄えられた電力をスイッチＳ６を内蔵するモータドライバＩＣ２に供給している。
【００６２】
また、モータ８のブレーキ時にコイル８ａで発生した電流の一部は、ポイントＰ４、Ｐ６、Ｐ７、Ｐ８、Ｐ５、及び、Ｐ３を通ってコイル８ａに戻る。そのため、コイル８ａで発生した電流の一部はコンデンサＣ３にも流れ、コンデンサＣ３を充電する。また、コイル８ａで発生し、ポイントＰ４、Ｐ６、Ｐ７、Ｐ８、Ｐ５、及び、Ｐ３を通って流れる電流の一部はモータドライバ用電源回路ＩＣ１にも流れる。
【００６３】
続いて、図６に示すタイムチャートを用いて、本実施形態における洗浄水供給装置Ｓの動作を説明する。
【００６４】
本実施形態の洗浄水供給装置Ｓは、操作パネル１５が操作される前の状態では、制御部１０は待機状態となっている。そのため、モータ駆動部９は図３に示す待機時の状態となっているため、スイッチＳ１、Ｓ３、及び、Ｓ４が閉、スイッチＳ２、Ｓ５、及び、Ｓ６が開となっており、モータ８は停止している。
【００６５】
時刻ｔ１において、操作パネル１５が操作されて便器洗浄が実行されると、制御部１０はモータ８を回転させてポンプ４を駆動し、水洗大便器５を洗浄する。そのため、制御部１０はモータ駆動部９が図３に示す待機時の状態から、図４に示す便器洗浄時の状態となるように制御する。
【００６６】
従って、制御部１０は、スイッチＳ１、Ｓ３、及び、Ｓ４を閉、スイッチＳ２、Ｓ５を開とする。また、制御部１０はモータ８の回転数を制御するため、必要に応じて適宜スイッチＳ６が開閉するように、信号線１１ｆを通してモータドライバＩＣ２に信号を送る。これにより、駆動手段１３が実行され、モータ８が回転してポンプ４から水洗大便器５のジェット吐水口５ｃに洗浄水が供給されるため、水洗大便器５が洗浄される。
【００６７】
モータ８の回転は、時刻ｔ１で開始されてから所定時間継続して実行される。このモータ８の回転が継続する所定時間は、タンク３に設けられ、タンク３の下限水位を検出する下限水位検出器７が検知となるまで継続しても構わないし、図示しないタイマーなどを用いることにより所定時間が経過するまで継続しても構わない。
【００６８】
時刻ｔ２において、制御部１０はモータ８の回転を停止し、モータ８にブレーキをかける制御を実行する。そのため、制御手段である制御部１０はモータ駆動部９が図４に示す便器洗浄時の状態から、図５に示すブレーキ時の状態となるように制御する。つまり、制御部１０は駆動手段１３の実行後にブレーキ手段１４を実行する。
【００６９】
従って、制御部１０は、スイッチＳ２、Ｓ５、Ｓ６を閉、スイッチＳ１、Ｓ３、Ｓ４を開とする。なお、制御部１０はスイッチＳ６が閉となるように、信号線１１ｆを通してモータドライバＩＣ２に信号を送る。
【００７０】
スイッチＳ２及びスイッチＳ６が閉となっているため、上述したように、モータ８のコイル８ａの両端を短絡する短絡経路が形成されるので、モータ８にブレーキが掛かる。そのため、図６に点線ｃで示すブレーキを掛けなかった場合のモータ８の回転数の減少に比べて、より早くモータ８の回転数が減少していき、時刻ｔ３において停止する。
【００７１】
ポンプ４はモータ８によって駆動されるため、タンク３から水洗大便器５に吐水される洗浄水の量は、モータ８の回転数に比例する。そのため、本実施形態の洗浄水供給装置Ｓでは、モータ８にブレーキを掛けて、モータ８の回転がより早く止まるようにすることで、モータ８が惰性で回転することによって水洗大便器５に供給されていた洗浄水の量を少なくすることができる。
【００７２】
制御部１０は、時刻ｔ３において、モータ８のブレーキ制御を終了する。制御部１０がモータ８のブレーキ制御を実行する時間は、モータ８の回転が停止するまででも良いし、図示しないタイマーなどを用いることにより所定時間が経過するまで継続しても構わない。
【００７３】
制御部１０は、時刻ｔ３において、モータ８のブレーキ制御を終了すると、モータ駆動部９の状態を、図５に示すブレーキ時の状態から、再び図３に示す待機時の状態となるように制御する。
【００７４】
＜効果の説明＞
以上説明したように、本実施形態の洗浄水供給装置Ｓによれば、制御部１０は駆動手段１３の実行を終えた後、ブレーキ手段１４を実行する。ブレーキ手段１４を実行することでモータ８にブレーキが掛かるため、ポンプ４を駆動するモータ８が慣性動作するのを抑制することができる。そのため、ポンプ８による吐水の実行を停止してから実際にポンプ８からの洗浄水の吐水が止まるまでに惰性で吐水されていた洗浄水の量を少なくすることができる。そのため、洗浄性能に寄与しない洗浄水の量を少なくすることができるため、節水することができる。
【００７５】
また、本実施形態の洗浄水供給装置Ｓでは、制御部１０がブレーキ手段１４を実行すると、モータ８のコイル８ａの両端を短絡する経路が形成されるため、モータ８にブレーキを掛けることができる。
【００７６】
また、本実施形態の洗浄水供給装置Ｓでは、制御部１０がブレーキ手段１４を実行してモータ８にブレーキを掛けたときに、モータ８から生じる電力を熱として消費するのではなく、コンデンサＣ２に電気のまま蓄えることができる。また、コンデンサＣ２に蓄えられた電力を別の装置を動作させるための電源とすることで、ブレーキ手段１４がブレーキを掛けた時にモータ８から生じる電力を再利用することができる。
【００７７】
また、本実施形態の洗浄水供給装置Ｓでは、モータ８にブレーキを掛けるときには、モータ８から発生する電力によって電源回路であるブリッジダイオードＤ１又はコンデンサＣ１が破損しないよう、スイッチＳ１によりモータ８との電気的接続を遮断している。
しかしながら、本実施形態の洗浄水供給装置Ｓでは、ブレーキ手段１４である短絡経路を形成するときに使用するモータドライバＩＣ２に内蔵されているスイッチＳ６も、モータ８と同じ電源回路であるブリッジダイオードＤ１及びコンデンサＣ１から供給される電力によって動作しているので、電源回路との電気的接続が遮断されると、スイッチＳ６が動作しなくなる場合がある。
【００７８】
そのため、本実施形態の洗浄水供給装置Ｓでは、制御部１０は、ブレーキ手段１４を実行して短絡液路を形成するときにはコンデンサＣ２に蓄えられた電力をモータドライバＩＣ２に供給するので、電源回路から電力が供給されなくてもモータドライバＩＣ２に内蔵されたスイッチＳ６を作動させ続けることができる。
【００７９】
また、本実施形態の洗浄水供給装置Ｓのジェット吐水口５ｃからは、ポンプ４によって洗浄水を加圧してボウル部５ｂに勢い良く吐水するため、ポンプ４による吐水の実行を停止した後にポンプ４が慣性動作する時間も長くなる。そのため、ポンプ４の慣性動作によって吐水される洗浄水の量も多くなっていた。
しかしながら、このような水洗大便器５によれば、ブレーキ手段１４がポンプ４の止水時にポンプ４を駆動するモータ８にブレーキを掛けるため、ポンプ４が慣性動作する時間を短くすることができ、洗浄性能に寄与しない洗浄水の量を少なくすることができる。
【００８０】
＜変形例＞
【００８１】
以上、本願の開示する技術の実施形態について説明したが、本願の開示する技術は上記に限定されるものではない。
【００８２】
例えば、図２乃至図５において、交流電源Ｖ１を、ブリッジダイオードＤ１及びコンデンサＣ１で整流すると説明したが、本発明における交流電源Ｖ１の整流方法はこれに限定されるものではなく、交流電源Ｖ１を直流電源に整流できるものであれば他の構成としても構わない。
また、例えば、図２乃至図５に示した回路図において、モータ駆動部９の機能を変更しない部品の追加であれば、図２に示していない部品が追加されていても良い。モータ駆動部９の機能を変更しない部品の追加としては、例えば、ノイズ除去回路、絶縁回路、短絡保護回路などがある。
また、例えば、図５に示したブレーキ手段１４において、ポイントＰ５及びポイントＰ６の間には蓄電手段であるコンデンサＣ２が接続されていると説明したが、本発明におけるブレーキ手段１４はこれに限定されるものではなく、例えば、ポイントＰ５及びポイントＰ６間はただ単に接続されているだけでも良いし、抵抗が接続されていても良い。
【００８３】
なお、前述した各実施形態が備える各要素は、技術的に可能な限りにおいて組み合わせることができ、これらを組み合わせたものも本発明の特徴を含む限り本発明の範囲に包含される。
【符号の説明】
【００８４】
１：給水電磁弁
２：流路切替電磁弁
３：タンク
３ａ：給水口
４：ポンプ
４ａ：吸込みポート
４ｂ：吐出ポート
５：水洗大便器
５ａ：リム部
５ｂ：ボウル部
５ｃ：ジェット吐水口
５ｄ：トラップ排水部
６：識別素子
７：回転数計測部
８：モータ
８ａ：コイル
９：モータ駆動部
１０：制御部（制御手段）
１１、１１ａ〜１１ｆ：信号線
１３：駆動手段
１４：ブレーキ手段
Ｓ１〜Ｓ６：スイッチ
Ｃ１、Ｃ３：コンデンサ
Ｃ２：コンデンサ（蓄電手段）
ＩＣ１：モータドライバ用電源回路
ＩＣ２：モータドライバ
ＩＣ２ａ：制御部
Ｌ：給水路
Ｌ１：第１の導水路
Ｌ２：第２の導水路
Ｓ：洗浄水供給装置
Ｗ：タンク水
【図１】
2016183455.tif 000003
【図２】
2016183455.tif 000004
【図３】
2016183455.tif 000005
【図４】
2016183455.tif 000006
【図５】
2016183455.tif 000007
【図６】
2016183455.tif 000008